(57)【要約】【課題】シークイン供給装置Ｅから次々と供給されるシークイン片104を、異なる複数の色糸で縫付けて、カラフルで美観性の高い刺繍製品を提供する方法を提供する。        【解決手段】  刺繍ミシンには、複数の針棒を並設状態で備えさせ、それら複数の針棒は、選択的に針落孔位置の上に位置するようにしておき、上記複数の針棒に付された縫針には夫々相互に異なる色糸を付し、シークイン供給装置Ｅから布上に供給されるシークイン片104を、上記相互に色が異なる色糸が付されている複数の縫針を選択的に利用して布に縫付ける。【選択図】    図１
2010172735.tif 000002
【特許請求の範囲】
【請求項１】
シークイン供給装置から次々と針落孔位置の上に位置する布上に供給されるシークイン片を、上記針落孔位置の上に位置する刺繍ミシンの縫針に付した色糸で次々と布に対して縫付けるシークインの縫付け方法において、
上記刺繍ミシンには、複数の針棒を並設状態で備えさせると共に、それら複数の針棒に夫々付されている縫針は、選択的に針落孔位置の上に位置するようにしておき、その上、上記複数の縫針に夫々付する色糸は相互に色を異ならしておき、
シークイン供給装置から次々と針落孔位置の上に位置する布上に供給されるシークイン片を、縫針に付した色糸で次々と布に対して縫付ける過程においては、
上記相互に色が異なる色糸が付されている複数の縫針を選択的に利用して上記シークイン片を異なる複数の色糸で縫付けることを特徴とするシークインの縫付け方法。
【請求項２】
請求項１に記載のシークインの縫付け方法で得られるシークイン片が縫付けられている布製品。
【発明の詳細な説明】
【技術分野】
【０００１】
本発明は、シークインの縫付け方法に関し、詳しくは刺繍縫製を可能にする刺繍ミシンと、上記刺繍ミシンにおける針落孔の位置に対してシークインを次々と供給できるシークイン供給装置を備え、シークインを上記刺繍ミシンでもって次々と布に縫付けることができるシークインの縫付け方法に関する。         
【背景技術】
【０００２】
従来より、シークイン供給装置は広く知られている。例えばこの種のシークイン供給装置においては特許文献１に示されるものがある。
上記特許文献１に開示されているシークイン供給装置においては、機枠に取付けられる支持部材に対して主枠を備えさせ、上記主枠には、下部に、帯状に連なっているシークインの先端を、案内路における供給点へ向けて案内する案内路を備えさせ、さらに、案内路に位置させる上記帯状に連なっているシークインの先端を上記供給点の先に存在する突出空間に向けて押し進める送出し装置を備えさせてある。
この従来のシークイン供給装置にあっては、特許文献１のFig.1に示されるように、刺繍ミシンのヘッドの左横に配設している。
シークイン供給装置における送出し装置を動作させて、帯状に連なっているシークインの先端を、供給点から突出空間に向けて突出させることによって、シークインの先端を刺繍ミシンにおける針落孔位置の左側方から針落孔の位置に供給する。
一方、刺繍ミシンにおける最左端の針棒を下降させて、帯状に連なっているシークインの突出したシークイン片を切り離すと共に、針棒に付された針を用いて縫糸をシークイン片に刺し通してシークイン片を布に縫い止めするようにしている。        
【先行技術文献】
【特許文献】
【０００３】
【特許文献１】国際公開番号第２００６／１１０００３号公報
【発明の概要】
【発明が解決しようとする課題】
【０００４】
この特許文献１に開示されるシークイン供給装置は、前述したように「シークインの先端を刺繍ミシンにおける針落孔位置の左側方から供給する」構成になっている。
一方刺繍ミシンの左端の針棒は布押え具を備えていない。このことは刺繍ミシンの針落孔に対してシークインが左側方から供給されるので、シークイン片を押さえ付けて傷つけないようにする為、布押え具を置かないようにしている。
その為、シークイン片を布に縫付る際に、ミシンの左端の針棒は上下動させるのであるが、シークイン片の孔に刺し通した針を抜くときには、布も共に引っ張って浮き上がらせてしまう。この布の浮き上りにより、布上面のシークイン片が、縫付け予定位置からずれる。
このことは、シークイン片の縫付け状態にばらつきが生じ、結果的には、刺繍模様全体が崩れてしまい、刺繍商品の品質を落とす問題点があった。          
【０００５】
さらに、この特許文献１に開示されるシークイン供給装置は、前述したように、シークインの先端を刺繍ミシンにおける針落孔位置の左側方から、刺繍ミシンの左端の針棒の下に位置する針落孔に対してシークインを供給する。
従って、シークイン供給装置から次々と針落孔位置に供給されるシークイン片の縫い付けは、上記針落孔位置の上に位置する最左側方の針棒に付されている縫針の単一色の色糸で縫付けられる事になり、デザイン的見地から商品価値が低くなる問題点がある。
【０００６】
本件出願の目的は、シークイン供給装置から次々と針落孔位置の上に位置する布上に供給されるシークイン片を、色糸で次々と布に対して縫付けるシークインの縫付け方法を提供しようとするものである。
【０００７】
他の目的は、上記シークイン供給装置から次々と供給されるシークイン片を、色糸で布に縫付ける過程においては、相互に色が異なる色糸が付されている複数の縫針を選択的に利用して上記シークイン片を異なる複数の色糸で縫付けて、カラフルで美観性の高い刺繍製品を提供できるシークインの縫付け方法を提供しようとするものである。
他の目的及び利点は図面及びそれに関連した以下の説明により容易に明らかになるであろう。
【課題を解決するための手段】
【０００８】
本発明におけるシークインの縫付け方法は、シークイン供給装置Ｅから次々と針落孔２の位置の上に位置する布Ｇの上に供給されるシークイン片104を、上記針落孔位置の上に位置する刺繍ミシンＣの縫針１８に付した色糸６３で次々と布Ｇに対して縫付けるシークインの縫付け方法において、 上記刺繍ミシンＣには、複数の針棒１６を並設状態で備えさせると共に、それら複数の針棒に夫々付されている縫針１８は、選択的に針落孔２の位置の上に位置するようにしておき、その上、上記複数の縫針１８に夫々付する色糸６３は相互に色を異ならしておき、 シークイン供給装置Ｅから次々と針落孔位置の上に位置する布上に供給されるシークイン片104を、縫針１８に付した色糸６３で次々と布Ｇに対して縫付ける過程においては、  上記相互に色が異なる色糸６３が付されている複数１８の縫針を選択的に利用して上記シークイン片104を異なる複数の色糸６３で縫付けることを特徴とするシークインの縫付け方法。
【発明の効果】
【０００９】
以上のように本発明にあっては、シークイン供給装置Ｅから次々と供給されるシークイン片104を、複数のシークイン縫付け用の縫針１８を選択利用して、上記のように次々と供給されるシークイン片104を、異なる色糸６３を用いて布Ｇに縫付けるものであるから、布Ｇに縫付けられた多数のシークイン片104が単一色であっても、シークイン片104の表面には色糸の色が反映して外観的にはカラフルで美観性の高いシークインの刺繍製品を提供できる効果がある。
【図面の簡単な説明】
【００１０】
【図１】シークインの縫付け方法を説明する為の多針刺繍ミシンの概略斜視図。
【図２】刺繍ミシンＣにおける断面図。
【図３】（Ａ）は略示斜視図、（Ｂ）は図２におけるIII-III線断面図。
【図４】（Ａ）は複数の天秤の平面図、（Ｂ）は斜視図、（Ｃ）は一つの天秤が下がった状態を示す斜視図。
【図５】機枠と、刺繍ミシンＣのヘッドと、シークイン供給装置Ｅとの配置関係を説明する為の略示平面図。
【図６】図５におけるVI矢視方向の側面図。
【図７】（Ａ）は、図５のVI矢視方向の機枠と、機枠に取付けられた支持部材９０との配置関係を説明する為の略示側面図、（Ｂ）は、図６におけるVII−VII線断面図。
【図８】部分拡大図。
【図９】（Ａ）は図8におけるＩＸＡ−ＩＸＡ線断面図。（Ｂ）はＩＸＢ−ＩＸＢ線拡大断面図。
【図１０】（Ａ）は図９におけるＸ−Ｘ線断面図、（Ｂ）は拡大図。
【図１１】（Ａ）（Ｂ）図10(A)におけるＸＩ−ＸＩ線の概略断面図。
【図１２】（Ａ）は、図6のXII−XII線断面図、（Ｂ）は布押え部分37aのXIIB−XIIB線断面図。（Ｃ）は布押え部材37のXIIC−XIIC線断面図。（Ｄ）は一部拡大断面図。
【図１３】タイミング図。
【図１４】（Ａ）はXII-XII線断面図。（Ｂ）はXIV−XIV線断面図、（Ｃ）は部分斜視図、（Ｄ）は部分拡大断面図。（Ｅ）（Ｆ）は平面図。
【発明を実施するための形態】
【００１１】
以下本発明の実施の形態を図面を用いて説明する。
図１は、機枠ＡにテーブルＢと、ヘッド５と、支持部材９０によって支持されているシークイン供給装置Ｅとを備えるシークインの縫付け用の多針刺繍ミシンを説明する為の概略斜視図。
図２は、図１の周知の刺繍ミシンＣにおけるヘッド５を説明する為の断面図で、針棒保持枠８と、針棒保持枠８に備えさせた複数の針棒の内、針落孔２の上方に選択された針棒と、その針棒に添設してある布押え具３６とを説明する為の図。
図３は、複数の針棒１６と針棒保持枠８との配置関係と、針棒保持枠８の回動により複数の針棒の内の一つの針棒１６を選択する切替を説明する為の略示図で、（Ａ）は略示斜視図、（Ｂ）は図２におけるIII-III線断面図。
図４は、複数の天秤の配置関係と、複数の天秤の内の一つの天秤の選択切替を説明する為の略示図で、（Ａ）は平面図、（Ｂ）は斜視図、（Ｃ）は一つの天秤が下がった状態を示す斜視図。
図５は、機枠Ａと、機枠Ａに取付けられた刺繍ミシンのヘッド５と支持部材９０と、シークイン供給装置Ｅとの配置関係を説明する為の略示平面図。
図６は、機枠と、機枠Ａに取付けられたテーブルと刺繍ミシンと支持部材９０及び支持部材に取付けられたシークイン供給装置Ｅとの配置関係を説明する為の図で、図５における支持部材の取付部90ｂの表側（左側）に対して主枠100を昇降自在に付設した状態を表すVI矢視方向の側面図。
図７（Ａ）は、図５のVI矢視方向の機枠Ａと、機枠に取付けられた支持部材９０との配置関係を説明する為の略示側面図で、図５のシークイン供給装置Ｅについては、支持部材９０との位置関係を説明する為に一点鎖線で示す（なお、符号100dで示す二点鎖線は主枠100の上昇位置、符号100で示す一点鎖線は主枠100の下降位置を示す）。（Ｂ）は、図６におけるVII−VII線断面図で、ガイドレール９４に対して昇降自在である摺動部材101を説明する為の図。
図８は、主枠100の下部100ｂに配設されたシークイン供給装置における案内路110と、シークイン103と、送出し装置120との関係を説明する為の部分拡大図。
図９は、案内路110と、シークイン103と、送出し装置120における送出し部材121との位置関係を説明する為の図で、（Ａ）は図8におけるＩＸＡ−ＩＸＡ線断面図。（Ｂ）は図8におけるＩＸＢ−ＩＸＢ線断面図で、案内路110の拡大断面図。
図１０は、案内路110と、帯状に連なっているシークイン103との関係を説明する為の概略図で、（Ａ）は図９におけるＸ−Ｘ線断面図（シークインの先端103aを供給点111から突出空間118に突出させた状態を示す）。（Ｂ）は案内路110の巾寸法を、公知の調整機構119を用いて（Ａ）の状態より広げた状態を示す拡大図。
図１１は、送出し装置120と、案内路110と、シークイン103と、針落孔２との関係、及び送出し装置120によって、シークイン103が供給点111から突出空間118へ送出動作を説明する為の図で、図10(A)におけるＸＩ−ＸＩ線の概略断面図。（Ａ）はシークイン103の先端103aが供給点111にある状態、（Ｂ）はシークインの先端103ａが供給点111から突出空間118へ送出され、切断部材116により切り離されたシークイン片104の孔106に縫針１８が刺し通された状態を示す図（なお、（Ａ）、（Ｂ）夫々において、図の下方に示される帯状に連なっているシークイン103の図は、送出し装置120によって移動するシークイン103の関連を示す平面図）。
図１２（Ａ）は、図6におけるXII−XII線位置の上下位置に配置される針棒保持枠８の回転中心点１１と針落孔位置２と結ぶ線の延長線１３と、シークイン供給装置における供給点111から針落孔２方向へ向かうシークイン片104の孔106の移動軌跡107と、布押え部材３７との位置関係を説明する為の略示断面図。（Ｂ）は刺繍縫用の布押え部分37ａを説明する為の一部破断した断面図で（Ａ）におけるXIIB−XIIB線断面図。（Ｃ）はシークイン縫付け用の布押え部材37を説明する為の一部破断した断面図で（Ａ）におけるXIIC−XIIC線断面図。（Ｄ）は布押え部材37と、供給点111から針落孔２方向へ向かうシークイン片104の孔106の移動軌跡107との関係を説明する為の（Ａ）の一部拡大図。
図１３は、刺繍ミシンにおける針と、布押え具と、刺繍枠と、シークイン供給装置におけるシークインの送出し動作の関係を説明する為の図で、主軸が６回転する間の各所の動作を表したもの。
図14（Ａ）は、布押え具３６における布押え部材の異なる例を説明する為の図６におけるXII-XII線断面図。（Ｂ）は（Ａ）におけるXIV−XIV線断面図、（Ｃ）は布押え具３６における布押え部材の異なる例を説明する為の概略部分斜視図、（Ｄ）は布押え部材と連係部材43とを着脱交換自在にする例を説明する為の部分拡大断面図。（Ｅ）（Ｆ）は（Ａ）に表れる帯状に連なっているシークイン103の異なる例を示す平面図。
【００１２】
図２のヘッド内の構成、図３の針棒保持枠８と針棒１６，針棒１６とそれに添設される布押え具３６、図４の天秤装置５１、図６〜図１１におけるシークイン供給装置Ｅの単体（針落孔２の位置，針棒保持枠８、回転中心点１１、供給点111、移動軌跡107、突出空間118等以下の説明に於て加えられる新規な技術的事項（部材構成、組合せ、機能等）の説明に関わる事項は除く）に係る構成は、特開平７−３２８２７３号公報、特開平４−９６７８８号公報、特許第２５４６７４２号公報、特開２００５−２０５１５３公報で開示されている構成と同じような趣旨の構成を備えている。
よって、その操作、機能は広く知られている。なお、実施に際しては、本案の図示のものに代えて特開平７−３２８２７３号公報等上記の構成を用いても良い。
【００１３】
本件の多針ミシンＭにおける刺繍ミシンＣは、図１〜図４から理解できるように、機枠Ａには、テーブルＢと、上記テーブルＢの上方に位置するヘッド５とを備えさせ、上記ヘッド５には、複数の針棒16を支持する為の針棒保持枠８であって、往復回動を自在にしてある針棒保持枠８と、上記針棒保持枠８に対して夫々上下動自在に並設された複数本の針棒１６と、上記複数の針棒１６に対して夫々同期して上下動するように添設してある布押え具３６とを備え、上記針棒保持枠８を回動させて、複数の針棒の内の一つの針棒１６をテーブル上面１の針落孔２の上方に選択して止め、上記針棒１６と布押え具を同期させて上下動させて縫製に用いるようにしてある。
【００１４】
この点を、図１〜図４、図１２を用いて具体的に説明する。図１に表れているＭはロータリ式多針刺繍ミシンを示し、シークインの縫付けに用いられる。Ｂは、機枠に対して取付けられているテーブル、Ｃは、機枠のテーブルＢの上方に並列状態で取付けられている複数の刺繍ミシンを示す。Ｄは、複数の刺繍ミシンＣにおける針棒１６及び天秤５３を駆動させる為の主軸で、図示外のモータによって回動自在にしてある。Ｅは機枠に対して取付けられた複数のシークイン供給装置、Ｆはテーブルの上面においてＸＹ方向に移動可能にした刺繍枠、Ｈはシークインの縫付け用多針刺繍ミシンＭの動作を制御する為のＣＰＵ等を含むコンピュータを備えている制御装置を示す。
【００１５】
刺繍ミシンＣにおけるヘッド５は、機枠に装着してあり、図２に示されるよように、フレーム６と、針棒保持枠８と、複数の針棒機構１５と、針棒駆動機構２６と、複数の布押え具と、天秤装置５１を備える。
図２、３から理解できるように、針棒保持枠は、ヘッドのフレームに対して案内棒３０を用い、回動中心１１を中心に往復回動自在に取付けてある。針棒保持枠は、周知のように制御装置Ｈで制御される図示外の針棒切替機構（任意のステッピングモータを備える）に連なる連繋杆１４を介して往復回動制御される。針棒保持枠には、針棒１６を上下動自在に支持する為の貫通孔１２が、回動中心１１を中心とする同一円周上に複数形成されている。
次に、針棒機構１５は、符号１６、１７、１８、２０、２１で示される部材を備える。１６は、針棒保持枠の貫通孔１２に対して上下動自在に取付けられる針棒を示し、下部には針１８が針止部材１７で止着してある。この針止部材１７は、針棒下動時に後述のシークイン供給装置Ｅにおける切断部材116を下動させる為の押し部材としても兼用される。２０は、針棒及び布押え具を上昇させる為の第１ばねで、針棒保持枠と布押え具のばね座４４の間に配置してある。２１は、針棒を上昇させる為の第２ばねで、布押え具の第１ばね座44ａと第２ばね座44ｂとの間に配置してある。第１、第２ばねのばね力は、針棒と布押え具を同期させて（図１３に示すように関連動作させて）上下動できるように、第１ばねに比べ第２ばねのばね力が強くしてある。
【００１６】
次に、針落孔２の上方に選択されて止められた針棒を上下動させる為の針棒駆動機構２６について説明する。針棒駆動機構２６は、符号２７〜３１で示される部材によって構成してある。２７は主軸に取付けられた偏心輪、27ａはクランクロッド、２８は一端28ａをフレームに枢着したレバーで、２９はレバー２８と昇降体３１を連結するリンク、３０は針棒保持枠の回動中心１１に取付けられた案内棒で、フレームに対し往復回動自在に取付けてある。３１は案内棒３０に対し上下動自在に装着した昇降体、31ａは針棒を押える為の針棒押さえを示す。
針棒駆動機構２６は、周知のように主軸の回動運動を、符号２７〜２９の部材を介して昇降体３１に上下運動にして伝達する。
【００１７】
次に布押え具３６について説明する。布押え具は、図２、図３から理解できるように、複数の針棒に対して夫々添設してある。
布押え具は、布Gを押える為の布押え部材３７（又は押え部分37ａ）と、布押え部材３７（又は押え部分37ａ）を針棒と連係する為の連係部材４３とを一体的に連結して形成してある。
図１２によく表れている37ａは刺繍縫用の布押え部分を示し、３７は、シークイン縫付け用の布押え部材を示す。
図12(A)、(Ｂ)に表れる刺繍縫用の布押え部分37ａの平面形状は、針落孔２を囲むことができるように、元部38ａからリング部４１を張り出し、中央位置に針通し孔41ｂが形成してある。
次に、布押え具におけるシークイン縫付け用の布押え部材３７の平面形状は、図12(A)、(C)、(D)から理解できるように、下降状態において、針落孔２に重合させるシークイン片104を押えることなく、上記シークイン片104の両側の布Ｇを布押え面39ａで押えることができるように元部３８から二つの布押え爪３９を夫々上記シークイン片104の両側に向けて突設した形状にしてある。
４０は二つの布押え爪３９の間に形成される間隙を示す。
次に、布押え具の連係部材４３にあっては、第１ばね座４４ａ、ガイド部４６夫々に形成された針棒通し孔４５、４７に対して針棒を挿通させて、針棒に対して相対的な上下動自在に装着してある。
【００１８】
さらに、上記複数本の針棒の内、任意複数の針棒について、夫々の針棒に同期して上下動するように添設してある上記布押え具における夫々の布押え部材３７の平面形状は、前述した形状にしてある（図１２参照）。上記構成の布押え部材３７を複数用いた場合（並設または間隔をあけて配置した場合）、シークイン供給装置Ｅから供給されるシークイン片104を、針棒保持枠８を回動させ、上記複数の布押え具の内の複数を選択して、対応する各針棒の縫針１８に付される相互に異なる色糸で選択縫製するようにしてもよい。
さらに、上記刺繍縫用の布押え部分37ａとシークイン縫付け用の布押え部材３７の夫々の配設数やそれらの配置は、縫製内容、使用状況等使用者の要求に対応して任意に選択すれば良く、並設された複数本の針棒の内、どの位置にある針棒でも任意にシークイン縫付用に選択して、夫々布押え部材３７を備えさせて縫製に用いることができる自由度の高い使用上の特長がある。
【００１９】
上記布押え具は、周知のように上記針棒に対して夫々同期して上下動する。この動作を詳しく説明する。主軸の回動により、針棒駆動機構２６を介して昇降体３１が上下動する。昇降体３１が下動すると、針棒押さえ３１ａが針棒を押す為、針棒が下動する。それにより第２ばね２１を介して第１ばね座44ａが押し下げられ、第１ばね２０が押し縮められて布押え具が下動する。そして図２に示されるように、布押え具の布押え部材３７（又は布押え部分３７ａ）は布Ｇ上面に当接し、布を押さえつける。さらに、針棒が下動し、針が布Ｇに刺ささり、下死点まで至った後、広く知られているように上糸と下糸（図示省略）が絡む。その後昇降体３１が上動すると、針棒は第２ばね２１により布Ｇから抜ける。次に、第１ばね２０により針棒と布押え具が上死点まで上昇してする。このような動作を繰り返し行い、上記針棒と布押え具を同期させて上下動させて縫製に用いるようにすればよい。
さらに、上記の場合、広く知られているように、針棒と布押え具と、刺繍枠Ｆ等を同期させて（図１３に示すように関連動作させて）縫製に用いるようにすればよい。
【００２０】
次に、図２、４に表われる天秤装置５１について説明する。天秤装置５１における天秤保持枠５２は、フレームに対して往復回動自在に装着されており、連係機構８０の連係部材８１と案内棒３０を介して、針棒保持枠の往復回動と一体的に往復回動する。
次に、天秤装置５１における複数並設の天秤５３は、支軸５４でもって天秤保持枠５２に対して矢印方向に揺動自在に枢着してある。天秤５３において、５６は天秤駆動機構７０における駆動子７４と嵌合する為の嵌合部、５７は位置決片６０に係合する為の凹状の係合部、５９は腕部５８の先端に備えられる糸通し孔を夫々示す。６０は、フレームに固定された位置決片を示す。６１は位置決片６０における欠如部を示し、その幅寸法は、後述の天秤駆動機構７０における駆動レバー７２が通過できる寸法にすればよい。上記６０は、針落孔２に対応する位置にある針棒と天秤の上下方向の動きを妨げることなく、他の天秤の下落を防止できるようにしてある。天秤保持枠５２が横動する場合は、駆動子７４が図2の位置にあって天秤５３が下落することはない。
次に天秤駆動機構７０について説明する。天秤駆動機構７０は周知のように符号７１〜７７で示される部材によって構成してある。７１は主軸に取付けられるカムで、カム溝７１ａを備える。７２は駆動レバーで、元部を枢軸７３に枢着されて回動自在にされ、先端には駆動子７４を備える。７６は連繋レバーで、一端を駆動レバー７２の元部に一体に連結し、他端には従動子７７を備え、カム溝71aに位置させてある。周知のように主軸の回動を、天秤カム７１、駆動レバー７２、連繋レバー７６を介して伝え、上記位置決片６０の欠如部６１位置にある天秤５３を揺動させればよい。
【００２１】
次に、図１に示される刺繍ミシンＣにおいて、８４は、夫々複数のヘッドの上方で、かつ、機枠に対して備えられる周知のテンション台を示す。６２は、刺繍ミシンＣの縫製に用いる縫糸６３を巻付けておく糸巻きを立てるピンを示す。複数の糸巻きに夫々周知のように相互に異なる種類の色糸６３を巻き付けておき、多色の縫糸６３を選択的に縫製に用いるとよい。縫糸６３は、周知のようにテンション台８４、糸道６４、天秤の糸通し孔５９、糸道６５を通して針の針孔に通して用いる。
【００２２】
次に、シークイン供給装置Ｅは、図５〜７に表れているように、
上記機枠に取付けられる支持部材９０に対して主枠100を備えさせ、上記主枠100には、上記主枠100における下部100bに、帯状に連なっているシークイン103の先端103aを、案内路110における供給点111へ向けて案内する案内路110を備えさせ、さらに、上記案内路110に位置させる上記帯状に連なっているシークイン103の先端103aを上記供給点111の先に存在する突出空間118に向けて押し進める送出し装置120を備えさせてある 。
【００２３】
この点を図５〜１１を用いて詳しく説明する。
支持部材９０において、90ａは機枠に取り付ける為の固着部を示し、90ｂはシークイン供給装置Ｅにおける主枠100を取付ける為の取付部を示す。図７によく表れる９４は、支持部材９０に対して主枠100を昇降自在に支持する為に、取付部90ｂに設けられる凸溝状に突出させたガイドレールを示す。９１は後述の昇降手段９６の固定点を示す。
図６、７から理解できるように、主枠(スライドカバーとも称されている)100の中間部には、支持部材９０におけるガイドレール９４に対して摺動自在に装着する為の摺動部材101が固着されている。101ａは後述の昇降手段９６の固定点を示す。図７に一点鎖線で示される符号９６は周知の昇降手段としてのエアシリンダの存在を示し、固定点９１と101aとの間を矢印９７方向に伸縮自在にする為のものである。エアシリンダ９４が矢印97方向へ伸縮すると、主枠100は支持部材９０に対して矢印98方向に昇降する。なお、100dは主枠100の上昇位置を示す。
図６に示されるように、主枠100における上部100ａには、帯状に連なっているシークイン103（以下単に「シークイン103」ともいう）を巻付けて蓄える為のリール102が、回転自在に枢着されている。リール102に巻付けられたシークイン103は回転子108を通って主枠100における下部100ｂに備えられる案内路110へ案内される。
なお、支持部材９０は一体材で形成しても、複数部材を連結して形成してもよい。
さらに、機枠に対する支持部材９０の取付手段を、容易に着脱可能な止具、例えばボルト又はボルトとナットにして、シークイン供給装置Ｅを使用しない場合に、シークイン供給装置Ｅを外せるようにしてもよい。さらに
支持部材９０を図５の矢印９２方向に回動できるように固着部９０ａを枢着構造にして、邪魔なとき右側へ退避できるようにしてもよい。
【００２４】
次に、シークイン供給装置Ｅにおける案内路(ガイド溝とも称される)110について説明する。案内路110は、シークイン103の先端103aを、供給点111へ向けて案内する為に主枠100における下部100ｂに配置されている。案内路110は、図８〜１１から理解できるように、底部材(底板とも称される)112と、底部材112の上面112aに配設された二つの側部材（案内板とも称される)113で形成される。案内路110は図示の如く上方が開放したトンネル状に形成してあり（図９参照）、その巾と高さ寸法は、シークイン103が案内路110を通過できる寸法に設定してあればよい。図９、11に表われているように、底部材112には後述の送出し部材123における腕部125の先端１２６を位置させる為のスリット状の凹部112bが形成してある。115は、案内路110に向うシークイン103が案内路110にスムーズに進入できるように上から帯状に連なっているシークイン103を底部材112の上面に押し付ける為の板バネを示す。
なお、案内路110の巾寸法は、図10に示すように、周知の調整機構119を用いて二つの側部材113、113の間隔を拡げたり狭めたりして、調整すればよい。
【００２５】
シークイン供給装置Ｅにおける供給点111の位置は、図５〜１１に表れているように、供給点111から針落孔２方向へ向かうシークイン片104の孔106の移動軌跡107が、刺繍ミシンＣにおける針棒保持枠の回転中心点１１と針落孔位置２と結ぶ線の延長線１３上に位置させ、かつ、供給点111から突出空間118へ突出させるシークイン片104が、上記針落孔位置２と重合する位置に至るようにしてある。
図５〜１１に表れている案内路110における供給点111は、図示の如く案内路110の先端で、かつシークイン103の孔106が通過する略中央部を意味する。
次に、図８、図１１に表れている116は、供給点111から突出空間（供給点１１１よりも前方の空間であって、図１１（Ａ）の状態で針落孔２と重合する空間を意味する）118に向けて突出させたシークイン103の先端103aのシークイン片104を１ケ宛切り離す為の切断部材を示し、切断部材116から延びる軸116aを下部100ｂに対して上下動自在に装着している。切断部材116は、針棒の下降時に上記針棒機構１５の押し部材１７に備えさせる駆動部116bによって押し下げられる。
【００２６】
次に、シークイン供給装置Ｅにおける送出し装置120について説明する。
図８、１１によく示される121は、案内路110に位置する帯状に連なっているシークイン103に係合して押し進める為の送出し部材を示す。送出し部材121は、本体部122を送出駆動機構130における駆動体133に対して枢軸122aでもって往復回動自在に枢着し、先端にＬ字状の腕部125を有する。腕部125における126は、シークイン103の孔106に係合させる為の係合部を示す。係合部126は、送出し部材121が後退（図８、１１における右方向に移動）するときに係合部126がシークインの孔106から離脱するように後側（図８、図１１における右側）を斜状の当部127が形成してある。128は、送出し部材121を下方に付勢する為のバネを示す。
次に、送出し装置における130は、送出し部材121を前後方向（図６〜８における左右方向）に往復移動させる為の送出駆動機構を示す。送出駆動機構130は、符号131〜138で示される部材によって構成される。131は主枠100の下部100bに対して固着されている二つの柱部材（ブロックとも称される）、132は二つの柱部材131、131間に支持されるロッド、133はロッド132、132に対して前後方向に往復移動自在に装着される駆動体（スライダとも称される）、136aはステッピングモータ136の駆動軸、137は駆動軸136aに取付けられたアーム、138はアーム137と駆動体133を連結するリンクを示す。送出駆動機構130は、駆動軸136aの往復回動運動を、アーム137、リンク138、駆動体133を介して送出し部材121に前後運動にして伝達する。
【００２７】
上記シークイン供給装置Ｅは、周知のように送出し装置を動作させて、案内路110に位置する帯状に連なっているシークイン103の先端103aを、供給点111から突出空間118に向けて突出させる。この動作を繰返し、シークイン片104を次々と突出空間118へ供給する。この動作の点を詳しく説明する。
送出し装置を動作させ、送出し部材121が図１１に示される矢印150方向に前進すると、腕部125の係合部126がシークイン103の孔106に係合した状態でシークイン103を矢印150方向に押し進める。そして、シークイン103の先端103aを、供給点111から針落孔２の上方に位置する突出空間118に向けて突出させる（図11（Ａ）において一点鎖線で示される位置参照）。
次に、送出し部材121が図１１（Ｂ）に示される矢印151方向に後退すると、腕部125の当部127により係合部126がシークイン103の孔106から外れて１ピッチ分だけ後退する。このような動作を繰り返し行い、案内路110に存在するシークイン103の先端103aを供給点111の先に存在する突出空間118に向けて次々と突出させるようにすればよい。なお、この動作は針棒、刺繍枠Ｆと同期させて（図１３に示すように関連動作させて）行うようにすればよい。
なお、送出し装置によるシークイン103の送り出すピッチ（送出量）は、周知のように送出駆動機構130におけるステッピングモータ136のステップ数を制御することによりすれば良い。さらに、図１０、１１に示されるように、周知の調整部材140（部材140a、140bを備える部材）を用いて送出し部材121の前後移動を調整すればよい。
次に、針、布押え具、刺繍枠F、針棒切替機構、送出駆動機構130、シークイン等の関連動作の状態は図１３に示す。これらの動作は、周知のように制御装置Ｈによるコンピュータ制御によりすればよい。
【００２８】
上記構成のものを用いてシークイン104を布Ｇに縫付ける動作について説明する（なお、刺繍ミシンＣ及びシークイン供給装置Ｅ夫々の動作については、上述した記載を参照）。
まず、図５のように通過軌跡107を、延長線１３上に重ねて位置させている上記シークイン供給装置Ｅは、自体に備える送出し装置（図１１参照）120を動作させて、帯状に連なっているシークインの先端を、供給点111から突出空間118に向けて突出させる。
これによって、図11（Ａ）に示されるように上記シークイン103の先端103aを刺繍ミシンＣにおける針落孔位置２の上方に重合させることができる。
【００２９】
上記の場合、供給点111から針落孔２方向へ向かうシークイン片104の孔106の移動軌跡107と、上記針棒保持枠の回転中心点１１と針落孔位置２と結ぶ線の延長線１３とを一致させることは、図１２（Ｄ）から明白なように布押え部材３７の両側間の寸法Ｗ１を、二つの布押え爪３９の外側の巾寸法と同じにして狭くすることを可能にすることである。
従って、実施に当たり、布押え部材３７を設置するスペースに余裕がある場合は、延長線１３に対する移動軌跡107の角度が±１０度程度の誤差があっても許容される。この程度の誤差なら、布押え部材３７の布押え爪３９の向きを移動軌跡107に平行するようにしても、延長線１３を基準にして布押え部材３７の両側間の寸法Ｗ１と、二つの布押え爪３９の外側の巾寸法とはあまり差が生じないからである。
【００３０】
次に、上記刺繍ミシンＣにおける針棒と布押え具を矢印152方向に下降させる。すると、図11（Ｂ）に示されるように針止部材１７の駆動部116bが切断部材116を矢印152方向に押し下げて、針先に貫通させると共に帯状に連なっているシークイン103の突出したシークイン片104を切り離し、針落孔２に重合させる。さらに針棒に付された針は下死点に至り、縫糸６３を下糸に絡ませて上昇し、シークイン片104を縫い止めする。
この針棒が上昇してシークイン片104の孔106に刺し通した針が抜ける際、布押え具は図１３のタイミングで下降しており、図１２に示されるように、布押え具における布押え部材３７が、その布押え面39ａでシークイン片104の両側の布Ｇをしっかりと押えた状態で、針が布Ｇから抜けて上昇する。このように布Ｇの両側が押えられると、布Ｇは「ばたつく」ことなく安定し、布Ｇの上面のシークイン片104の位置も安定し、布Ｇに対する縫付け予定位置にあるまま縫付けられる。
引き続いて、図13に示されるように布押え具も上昇を始め、さらに刺繍枠Ｆが移動する。
次に図１３の２針目に示されるように、シークイン供給装置Ｅにおける送出し装置を動作させないで、針棒、布押え具、刺繍枠Ｆを同期させ縫製を行う。これにより二針目はシークイン103の孔に糸を刺し通すことなく、帯状に連なっているシークイン103を越えて布に直接差し込まれ、布に対しシークイン片104を止め付ける。
このような動作を繰り返し行い、刺繍ミシンＣとシークイン供給装置Ｅとを同期させて上下動させてシークインを縫付けるようにすればよい。
なお、図13において二針毎にシークイン103の孔に刺し通して縫付ける場合を図示したが、一針毎にシークイン103の孔に刺し通して縫付けるようにしてもよい。
【００３１】
次に、図１〜１２の布押え部３７とは布押え部材の点において異なる例を示す図１４（Ａ）（Ｂ）（Ｃ）について説明する。図１４（Ａ）（Ｂ）（Ｃ）の布押え部３７は、より安定して布Ｇを押えることができるようにするものである。
なお、図１４（Ａ）（Ｂ）（Ｃ）において前述の図１〜１２のものと機能、性質又は特徴等が同一又は均等構成と考えられる部分には、前述の図１〜１２と同一の符号にアルファベットのｇを付して重複する説明を省略する。
図１４に示されるように、布押え具36gにおける布押え部材３７ｇの平面形状は、下降状態において、針落孔２ｇに重合させるシークイン片104ｇを押えることなく、上記シークイン片104ｇの両側の布Ｇを布押え面39agで押えることができるように元部３８ｇから前方（図14(Ａ)における下方）へ二つの布押え爪３９ｇを夫々上記シークイン片104ｇの両側に向けて突設してある。さらに、元部３８ｇから後方（図14(Ａ)における上方）へ二つの布押え爪39ｇを夫々突設し、布に対する押え面を増加してあり、平面形状はＨ型状に形成されている。よって図14（Ａ）（Ｂ）（Ｃ）から理解できるように、Ｈ型の布押え面39agで布Ｇの上面をしっかりと押えることができるので、布Ｇはより安定して押えた状態で縫製をすることができる特長がある。
なお、図１４（Ｃ）に示される布押え部材３７ｇは針通し孔41bgを備える例を示す。
【００３２】
次に、布押え具における布押え部材３７（又は押え部分37ａ）、37gと連係部材43とを着脱交換自在にする例を示す図14（Ｄ)について説明する。布押え部材（符号37、37a、37gが付された布押え部材の何れでも可）と連係部材43とを別部材で形成し、着脱交換自在に連結するようにしてある。斯かる連結部の構成は周知の構成を用いればよい。例えば、４２は布押え部材３７（又は押え部分37ａ）、37gの上部に形成した雌ねじ孔、４８は連係部材43の下部に形成した透孔、４９は透孔４８に挿通して雌ねじ孔４２に螺合させて布押え部材３７（又は押え部分37ａ）、37gと連係部材43とを一体的に連結する為のねじを示す構成であってもよい。
このように、着脱交換自在に構成すると、針棒に添設されている布押え具における布押え部材を、容易に交換することができる。
従って、並設された複数の布押え具について、その位置にあるものに対しても、任意にシークイン縫付け用の布押え具、或いは刺繍縫用の布押え具に変更することができ、必要に応じて、並設された複数本の針棒の内、どの位置にある針棒でも任意にシークイン縫付用に選択して縫製に用いることができる。
【００３３】
上記の構成によれば、複数の針棒の針夫々に、例えば相互に異なる種類の色糸を通した状態で縫製する場合、並設された複数本の針棒とそれに添設してある布押え具を選択的に用いて縫製できるので、多色縫いができる特長がある。
【００３４】
さらに、シークイン供給装置Ｅにおける供給点の位置を、供給点111から針落孔２方向へ向かうシークイン片の孔106の移動軌跡107が、刺繍ミシンＣにおける針棒保持枠８の回転中心点１１と針落孔位置２と結ぶ線の延長線１３上に位置させる構成にしたので、布押え部材３７の両側間の寸法を小さくできる特長がある。このように、布押え部材３７の外幅寸法Ｗ１が小さくなると、狭い範囲に対して、「密に並設されている複数の刺繍縫用布押え部分37ａ」のいずれの場所にでもシークイン縫付用の布押え部材３７を交換的に介入できる。その結果、例えば右端の針棒でも、中央部の針棒でも、好みの針棒を選択してシークイン縫付け用に選定して利用することができる特長がある。
このことは、操作者が、複数色糸の内、選択頻度の高い色糸を中央部の針棒に集めて効率よく刺繍縫いしたい場合（中央近くにある針棒相互の回動距離は短く、短時間でチェンジ可能になるから縫製効率は高くなる。）、シークイン縫付用の針棒をそのグループに加えることができる等の効果が期待できる。
【００３５】
さらに、前述のように布押え部材３７の両側間の寸法を小さくできるので、布押え具３６における布押え部材３７の平面形状を、下降状態において、針落孔２に重合するシークイン片104を押えることなく、シークイン片104の両側の布Ｇを布押え面39ａで押えることができるように元部３８から二つの布押え爪３９を夫々シークイン片104の両側に向けて突設した形状にできる特長がある。
このことは、シークイン片１０４を布Ｇに縫付る際に、下降した針棒１６が上昇して、針１８が布から抜ける場合、布押え具３６における布押え部材３７の二つの布押え面39ａでシークイン片104の両側の布Ｇをしっかりと押えた状態で、針１８が布Ｇから抜けて上昇するので、布Ｇは「ばたつく」ことなく安定し、布Ｇの上面のシークイン片104も、布Ｇに対する縫付け予定位置にあるまま縫付けられる。よって、品質の良い刺繍製品を提供できる品質上の効果がある。
【００３６】
さらに、布押え具３６における布押え部材３７は、二つの布押え爪３９の布押え面39ａで、シークイン片104の両側の布Ｇを押えることができるようにしたものであっても、上記二つの布押え爪３９の突設方向は、刺繍ミシンＣにおける針棒保持枠８の回転中心点１１と針落孔位置２と結ぶ線１３に添って突設するので、前述のように二つの布押え爪３９の外側の巾寸法Ｗ１は、狭くできる特長がある。
よって、上記二つの布押え爪３９を突設した形状の布押え部材３７を、針棒保持枠８の回転中心点１１の放射方向に存在する複数の「刺繍縫用の布押え部分37ａ」の狭い範囲の配列用スペースに対して、交換的に、複数並設できる利点が生じる。
このことは、図１２、図１４からも理解できるように、単一のシークイン供給装置Ｅから次々と供給されるシークイン片104を、複数のシークイン縫付け用の布押え部材３７を回動させて、選択利用することにより、上記シークイン片104を異なる色糸が付された針１８を利用して縫付けでき、カラフルで美観性の高い刺繍製品を提供できる画期的効果がある。    
【符号の説明】
【００３７】
機枠：Ａ、
テーブル：Ｂ、
刺繍ミシン：Ｃ、
シークイン供給装置：Ｅ、
刺繍枠：Ｆ、
布：Ｇ、
針落孔：２、
ヘッド：５、
針棒保持枠：８、
回動中心：１１、
延長線：１３、
針棒：１６、
針：１８、
布押え具：３６、
布押え部材：３７、
布押え爪：３９、
帯状に連なっているシークイン：103、
シークイン片（スパンコール）：104、
孔：106、
孔の通過軌跡：107、
供給点：111、
突出空間：118、
往復動作を表す矢印：←→
動作方向を表す矢印：→
動作方向を表す矢印：←
【図１】
2010172735.tif 000003
【図２】
2010172735.tif 000004
【図３】
2010172735.tif 000005
【図４】
2010172735.tif 000006
【図５】
2010172735.tif 000007
【図６】
2010172735.tif 000008
【図７】
2010172735.tif 000009
【図８】
2010172735.tif 000010
【図９】
2010172735.tif 000011
【図１０】
2010172735.tif 000012
【図１１】
2010172735.tif 000013
【図１２】
2010172735.tif 000014
【図１３】
2010172735.tif 000015
【図１４】
2010172735.tif 000016